(57)【要約】【課題】意匠性の高い羽根固定部材を提供することを目的とする。【解決手段】羽根固定部材２であって、回転軸５の軸方向に対して垂直な化粧平面９を有する本体部６と、化粧平面の縁部から回転軸５方向への移動に伴い化粧平面９からモータ３側に斜行する斜行構造１１を有する押圧部７と、押圧部７の回転軸５方向への移動により回転軸５と羽根４との固定を解除する固定解除構造８とを備えた羽根固定部材２とする。これにより押圧部７が回転軸５方向に移動するための空間をキャップ表面に設けることなく、押圧部７の部分化粧平面１２と本体部６の化粧平面９とを同一平面上に位置させることが可能となる。【選択図】図２
2020012421.tif 000002
【特許請求の範囲】
【請求項１】
モータの回転軸と羽根とを着脱自在に固定するための羽根固定部材であって、
前記回転軸の軸方向に対して垂直な化粧平面を有する本体部と、
前記化粧平面の縁部から前記回転軸方向への移動に伴い前記化粧平面から前記モータ側に斜行する斜行構造を有する押圧部と、
前記押圧部の前記回転軸方向への移動により前記回転軸と前記羽根との固定を解除する固定解除構造と、を備えた羽根固定部材。
【請求項２】
前記押圧部は、
前記モータと前記羽根とを固定した状態において前記化粧平面と同一平面を構成する部分化粧平面と、
前記部分化粧平面の前記回転軸側端部を基点として前記回転軸側に向かうにつれて漸次前記モータ側に傾斜する傾斜面と、を備え、
前記化粧平面は、
前記縁部に前記押圧部の前記部分化粧平面を露出させる押圧部格納部を備えた請求項１記載の羽根固定部材。
【請求項３】
前記押圧部は、
前記モータと前記羽根とを固定した状態において前記化粧平面と同一平面上に位置し、
前記モータと前記羽根との固定を解除した状態において前記部分化粧平面が前記化粧平面よりも前記モータ側に位置する請求項２に記載の羽根固定部材。
【請求項４】
前記斜行構造は、
前記本体部に前記縁部から前記回転軸方向に向かうにつれて前記押圧部を前記モータ側にガイドするガイド部と、
前記押圧部に前記ガイド部と係合する係合部と、を備えた請求項１から３のいずれかに記載の羽根固定部材。
【請求項５】
前記固定解除構造は、
前記回転軸の周囲に設けられた溝を当該回転軸の対向する両側面から挟持する狭持状態と前記狭持を解除した狭持解除状態とを取りうるバネを備え、
前記バネは、
前記押圧部の前記回転軸方向への移動により前記狭持状態から前記狭持解除状態に遷移する請求項１から４のいずれかに記載の羽根固定部材。
【請求項６】
回転軸を備えたモータと、
前記回転軸の回転により風の流れを生成する羽根と、
請求項１から５のいずれかに記載の羽根固定部材と、
を備えた換気装置。
【発明の詳細な説明】
【技術分野】
【０００１】
本発明は、モータの回転軸と羽根とを着脱自在に固定するための羽根固定部材及びこれを備えた換気装置に関するものである。
【背景技術】
【０００２】
スピンナーを使用せず、羽根の抜け止めおよび回り止めを確実にし、かつ容易に取付け、取外しを行うことができる羽根取付装置が知られている（特許文献１）。また、さらに取外し性を向上するため、羽根と回転軸との固定解除構造を備えた押圧部を設けて、押圧部を押すことにより羽根と回転軸との固定を解除する換気装置が知られている（図８）。
【先行技術文献】
【特許文献】
【０００３】
【特許文献１】特開平１０−１２２１９１号公報
【発明の概要】
【発明が解決しようとする課題】
【０００４】
図８に示した従来の換気装置１００は、本体部１０１と、押圧部１０２と、キャップ１０３とを備えキャップ１０３内に固定解除構造を備えている。換気装置１００は、押圧部１０２を円形のキャップ１０３の中心方向に押圧することで押圧部１０２が移動し、キャップ１０３内の固定解除構造が機能して回転軸から羽根（本体部１０１）が取り外し可能となっている。
【０００５】
このような従来の換気装置１００においては、押圧部１０２とキャップ１０３との間に段差１０４を設ける必要が生じる。つまり、押圧部１０２とキャップ１０３とを同一平面上に設けると、押圧部１０２がキャップ１０３の中心部に移動する際には移動するための空間をキャップ１０３表面に設ける必要が生じる。空間を設けると、換気装置の風の流れ方向に起因して当該空間から埃などが侵入してしまう恐れがあり、これに加えてキャップ１０３の表面（化粧面）の美観を損ねてしまうという課題があった。
【０００６】
また、キャップ１０３の表面と押圧部１０２との間に段差を設けることにより、空間を化粧面で覆い隠すことが行われていたが、化粧面周縁には段差が必要となり、化粧面の意匠性を高めることが困難であった。
【０００７】
そこで本発明は、上記従来の課題を解決するものであり、意匠性の高い羽根取付装置を提供することを目的とする。
【課題を解決するための手段】
【０００８】
そして、この目的を達成するために、本発明に係る羽根固定部材は、モータの回転軸と羽根とを着脱自在に固定する羽根固定部材であって、前記回転軸の軸方向に対して垂直な化粧平面を有する本体部と、前記化粧平面の縁部から前記回転軸方向への移動に伴い前記化粧平面から前記モータ側に斜行する斜行構造を有する押圧部と、前記押圧部の前記回転軸方向への移動により前記回転軸と前記羽根との固定を解除する固定解除構造と、を備えたものであり、これにより所期の目的を達成するものである。
【発明の効果】
【０００９】
本発明によれば、押圧部とキャップ（化粧平面）との間に段差や押圧部移動のための空間を必要とせず、意匠性の高い羽根固定部材、及びこれを備えた換気装置を提供することができる。
【図面の簡単な説明】
【００１０】
【図１】本発明に係る換気扇の斜視図
【図２】本発明に係る羽根固定部材の本体部の斜視図
【図３】本発明に係るキャップ部の斜視図
【図４】本発明に係る押圧部の斜視図
【図５】本発明に係る換気扇の側面断面図
【図６】本発明に係る固定解除構造を示す斜視図
【図７】本発明に係る固定解除構造を示す拡大図
【図８】従来の換気扇の斜視図
【発明を実施するための形態】
【００１１】
以下、本発明の実施の形態について図面を参照しながら説明する。なお、以下の実施の形態は、本発明を具体化した一例であって、本発明の技術的範囲を限定するものではない。
【００１２】
（実施の形態）
図１に示すように、本実施の形態に係る羽根固定部材２は、例えば換気扇１等の換気装置に用いられる。
【００１３】
換気扇１は、換気扇本体２０と、モータ３と、羽根４とを備えている。
【００１４】
換気扇本体２０は、外郭が角筒形状を有し、角筒形状における中央に略円筒形の送風路としての空間を備えている。
【００１５】
モータ３は、給電により回転する回転軸５を備えており、回転軸５の軸が送風路、つまり風の流れと平行に、換気扇本体２０の送風路の中央に配置されている。
【００１６】
羽根４は、羽根固定部材２と、複数の単羽根２１（図１においては５枚）とを備えている。羽根４は、例えばプロペラファンが該当する。
【００１７】
羽根固定部材２は、円筒形状を有し、側面に複数の単羽根２１が接続されている。羽根固定部材２は、底面側から天面側に向けて回転軸５の先端が接続されており、回転軸５の回転により回転することで、複数の単羽根２１が風の流れを生成する。羽根固定部材２は、モータ３の回転軸５と羽根４とを着脱自在に固定することで羽根４を回転軸５から取り外すことが可能となる。以下、各図を参照しながら羽根固定部材２の詳細構成について説明する。
【００１８】
羽根固定部材２は、図２に示す本体部６と、図４に示す押圧部７と、図５に示す斜行構造と、図６及び図７に示す固定解除構造８とを備えている。なお図２に示す本体部６は、羽根４を接続した状態であるが、本体部６と羽根４とを一体としてもよいし、別体としてもよい。さらに図２における本体部６は、説明のため押圧部７を外した状態を示している。
【００１９】
本体部６は、円筒形状を有し、円筒形状の風の流れにおける上流側にキャップ部６ａと、下流側に基部６ｂとを備えている。
【００２０】
キャップ部６ａは、回転軸５の軸方向に対して垂直な化粧平面９を有している。キャップ部６ａは、図３に示すように有底中空円筒形状を有する。化粧平面９は、下流側の開口面を基部６ｂの上流側に覆い被せた状態で基部６ｂに着脱自在に係止される。キャップ部６ａは、上流側の底面、すなわち化粧平面９に押圧部格納部１４を備える。
【００２１】
押圧部格納部１４は、化粧平面９、つまり底面円周上を基点として、一方が化粧平面９を円の中心方向に、他方が化粧平面９の円筒形状における側面を底面から天面方向（上流側から下流側方向）に切り欠いたことによりキャップ部６ａの内部に通じる開口（空間）として設けられる。言い換えると、化粧平面９はほぼ円形であるが周縁の一部を押圧部格納部１４にて切り欠かれた形状である。押圧部格納部１４には、図４に示す押圧部７が配置される。
【００２２】
押圧部７は、部分化粧平面１２と、傾斜面１３ａと、傾斜面１３ｂとを備える。
【００２３】
部分化粧平面１２は、押圧部７が押圧部格納部１４に配置された状態で、化粧平面９と同一平面上に位置する。部分化粧平面１２は、化粧平面９における切り欠きを補完することで、化粧平面９の外周を円形に維持する。
【００２４】
傾斜面１３ａは、部分化粧平面１２の底面円周上の回転軸側にある縁部１０ａを基点として回転軸側に向かうにつれて漸次モータ側に傾斜する傾斜面である。
【００２５】
傾斜面１３ｂは、押圧部７を押圧部格納部１４に格納した状態でキャップ部６ａの円周上に位置する側面のモータ側端部である縁部１０ｂを起点として、傾斜面１３ａと同様に、回転軸側に向かうにつれて漸次モータ側に傾斜する、傾斜面１３ａと平行な傾斜面である。
【００２６】
押圧部７の傾斜面１３ａに対応するように、キャップ部６ａの化粧平面９の裏面には、押圧部格納部１４の化粧平面上における回転軸側の縁部１０ｃを基点として、回転軸方向に向かうにつれてモータ側に傾斜する傾斜面１３ｃを備える。また、基部６ｂにも、図２に示すように、傾斜面１３ｂと対応するように押圧部格納部１４の単羽根２１側に位置する縁部１０ｄから回転軸方向に向かうにつれてモータ側に傾斜する傾斜面１３ｄを備える。
【００２７】
キャップ部６ａに備えられた傾斜面１３ｃと、基部６ｂに備えられた傾斜面１３ｄとが斜行構造１１におけるガイド部１５を構成し、押圧部７に備えられた傾斜面１３ａと傾斜面１３ｂとが斜行構造１１におけるガイド部１５に係合する係合部１６を構成する。
【００２８】
斜行構造１１の詳細について図５に示す。斜行構造１１において、ガイド部１５は、本体部６における縁部１０ｃ、縁部１０ｄから回転軸方向に向かうにつれて押圧部７における傾斜面１３ａ、傾斜面１３ｂ、すなわち係合部１６と係合してモータ３側にガイドする。つまり、ガイド部１５と係合部１６により、押圧部７の位置決めと移動方向の規制を補助する。
【００２９】
固定解除構造８は、図６に示すように、基部６ｂの上流側端部平面上に設けられており、キャップ部６ａを基部６ｂから取り外すことにより目視可能に配置される。固定解除構造８は、押圧部７の回転軸５方向への移動により、回転軸５と羽根４との固定を解除するものであり、例えばバネ１７を備えたものが考えられる。すなわち、回転軸５の周囲には軸全体の径よりも小さい径の溝２２（図５）が設けられ、バネ１７は、回転軸５の溝２２において、この溝２２の対向する両側面から回転軸５を挟持する狭持状態を取りうる。また、バネ１７は、後述する押圧部７の移動によって開くことにより、溝２２の狭持を解除した狭持解除状態を取りうる。
【００３０】
挟持状態では、羽根４と回転軸５がバネ１７により固定されており、挟持解除状態では羽根４と回転軸５の固定が解除されることになる。
【００３１】
以上が羽根固定部材２と換気扇１の構成である。
【００３２】
続いて、各部の動作について説明する。
【００３３】
換気扇１は、換気扇本体２０と、モータ３と、羽根４とが一体として構成されている状態で動作可能である。動作可能状態では、押圧部７の部分化粧平面１２と化粧平面９とは同一平面上に位置し、また押圧部７はその形状によって本体部６の押圧部格納部１４にはまり込んだ状態で、部分化粧平面１２が押圧部格納部１４から露出した状態となっている。これにより、換気扇１を上流側から見た状態において、本体部６の上流側端面は、化粧平面９と部分化粧平面１２とでほぼ段差のない円形を構成する。また、キャップ部６ａと基部６ｂとで円筒形を構成する。
【００３４】
このような動作可能状態において、羽根４を換気扇本体２０から取り外す際には、まず、キャップ部６ａに配置された押圧部７を、回転軸５方向に押し込む。
【００３５】
押し込まれた押圧部７は、斜行構造１１を構成するガイド部１５と、係合部１６とにより、回転軸５に近づくにつれてモータ３側に移動する。
【００３６】
押圧部７が回転軸５方向へ移動すると、固定解除構造８により、バネ１７が押圧部７により押し広げられ、狭持状態から狭持解除状態に遷移し、羽根と回転軸５の着脱が可能になる。
【００３７】
つまり、押圧部７はモータ３と羽根４とを固定した状態において化粧平面９と部分化粧平面１２が同一平面上に位置し、モータ３と羽根４とを固定解除した状態においては部分化粧平面１２が化粧平面９よりモータ３側に位置して化粧平面９と重なる。
【００３８】
以上により、押圧部７が回転軸５方向に移動するための空間をキャップ表面に設けることなく、押圧部７の部分化粧平面１２と本体部６の化粧平面９とを同一平面上に位置させることが可能となる。よって、市場から要望される意匠性の高い羽根固定部材２、羽根４を実現することが可能となる。
【００３９】
（実施の形態の概略）
本発明に係る羽根固定部材は、モータの回転軸と羽根とを着脱自在に固定する羽根固定部材であって、前記回転軸の軸方向に対して垂直な化粧平面を有する本体部と、前記化粧平面の縁部から前記回転軸方向への移動に伴い前記化粧平面から前記モータ側に斜行する斜行構造を有する押圧部と、前記押圧部の前記回転軸方向への移動により前記回転軸と前記羽根との固定を解除する固定解除構造と、を備えているという構造を有する。
【００４０】
押圧部が回転軸方向に移動するための空間をキャップ表面に設けることなく、押圧部の部分化粧平面と本体部の化粧平面とを同一平面上に位置させることが可能となる。
【００４１】
また、前記押圧部は、前記モータと前記羽根とを固定した状態において前記化粧平面と同一平面を構成する部分化粧平面と、前記部分化粧平面の前記回転軸側端部を基点として前記回転軸側に向かうにつれて漸次前記モータ側に傾斜する傾斜面と、を備え、前記化粧平面は、前記縁部に前記押圧部の前記部分化粧平面を露出させる押圧部格納部を備えた、という構成にしてもよい。
【００４２】
また、前記押圧部は、前記モータと前記羽根とを固定した状態において前記化粧平面と同一平面上に位置し、前記モータと前記羽根との固定を解除した状態において前記部分化粧平面が前記化粧平面よりも前記モータ側に位置する、という構成にしてもよい。
【００４３】
また、前記斜行構造は、前記本体部に前記縁部から前記回転軸方向に向かうにつれて前記押圧部を前記モータ側にガイドするガイド部と、前記押圧部に前記ガイド部と係合する係合部と、を備えた、という構成にしてもよい。
【００４４】
また、前記固定解除構造は、前記回転軸の周囲に設けられた溝を当該回転軸の対向する両側面から挟持する狭持状態と前記狭持を解除した狭持解除状態とを取りうるバネを備え、前記バネは、前記押圧部の前記回転軸方向への移動により前記狭持状態から前記狭持解除状態に遷移する、という構成にしてもよい。
【００４５】
また、回転軸を備えたモータと、前記回転軸の回転により風の流れを生成する羽根と、
上記記載の構成をもつ羽根固定部材と、を備えた換気装置にしてもよい。
【００４６】
これらの構成にすることにより、化粧平面と部分化粧平面を同一にすることができ、また、押圧部の大きさも小さくすることが可能となる。
【産業上の利用可能性】
【００４７】
本発明に係る羽根固定部材は、意匠性の高い羽根デザインをもつ、換気装置に利用可能である。
【符号の説明】
【００４８】
１    換気扇
２    羽根固定部材
３    モータ
４    羽根
５    回転軸
６    本体部
６ａ    キャップ部
６ｂ    基部
７    押圧部
８    固定解除構造
９    化粧平面
１０ａ    縁部
１０ｂ    縁部
１０ｃ    縁部
１０ｄ    縁部
１１    斜行構造
１２    部分化粧平面
１３ａ    傾斜面
１３ｂ    傾斜面
１３ｃ    傾斜面
１３ｄ    傾斜面
１４    押圧部格納部
１５    ガイド部
１６    係合部
１７    バネ
２０    換気扇本体
２１    単羽根
２２    溝
１００    換気装置
１０１    本体部
１０２    押圧部
１０３    キャップ
【図１】
2020012421.tif 000003
【図２】
2020012421.tif 000004
【図３】
2020012421.tif 000005
【図４】
2020012421.tif 000006
【図５】
2020012421.tif 000007
【図６】
2020012421.tif 000008
【図７】
2020012421.tif 000009
【図８】
2020012421.tif 000010